(57)【要約】【課題】フィルムが束になったり又は折り重なっても、フィルムカッター装置の使用者を負傷させることなく、食品用包装材（ラップ）等のフィルムを効果的に手早くカッティングする。【解決手段】刃ハウジングが一対のレールに沿って摺動するフィルムカッター装置において、そり形状のランナーと調節可能な隙間とを有するハウジングの内部からこのハウジングが摺動移動されるレールの上面までカッター刃が延びるように構成する。【選択図】図１
2006326836.tif 000002
【特許請求の範囲】
【請求項１】
細長いレール基礎部と、
この細長いレール基礎部の頂面に形成された一対のレールと、
この細長いレール基礎部の内部において前記レールの間に形成された移動溝と、
上方部分と下方部分とから形成された刃ハウジングと、から構成されたフィルムカッター装置であって、
前記細長いレール基礎部の後縁はｕ字状を成した延長部を有しており、
前記刃ハウジングの前記上方部分が、刃を収納し、
前記刃ハウジングの前記上方部分の底縁部が、前記刃からいずれの端部側にも突出し、
また端面が、丸められていて且つ前記底縁部のいずれの端からも上方に傾斜しており、
前記刃ハウジングの前記下方部分が、前記移動溝内において摺動移動し、
前記下方部分は、前記移動溝において摺動移動のためのトラッキング装置から形成されており、
前記トラッキング装置は、チューブ状基礎部から形成されており、中間部が前記下方部分を前記上方部分に取り付けており、また前記チューブ状基礎部が、対応したチューブ形状を有した空所内で摺動し、
前記中間部は、
前記刃と前記レールとの間に所定の隙間を与えるように所定の長さを有しており、
前記細長いレール基礎部は、
硬質のビニル樹脂、又は塩化ビニル樹脂の第一の素材から形成されており、
前記レールは、
フィルムを引き付けてカッティングの前後に前記フィルムを平坦に維持するのを助けるべく引付け電荷を前記レールに与える素材であって、可撓性のビニル樹脂、アクリル樹脂又は塩化ビニル樹脂からなるグループから選択された第二の素材から形成されていること
を特徴とするフィルムカッター装置。
【請求項２】
前記刃ハウジングの前記上方部分は、グリップ面を有しており、このグリップ面が凹んだ形状を有していることを特徴とする請求項１記載のフィルムカッター装置。
【請求項３】
前記第二の素材は、前記第一の素材と共押出されることを特徴とする請求項１記載のフィルムカッター装置。
【請求項４】
前記レールは、ショアＡデュロメータでの硬さを有する素材から形成されていることを特徴とする請求項１記載のフィルムカッター装置。
【請求項５】
前記刃ハウジングは、潤滑性を与える可撓性の素材から形成されることを特徴とする請求項１記載のフィルムカッター装置。
【請求項６】
前記刃ハウジングは、アセタール、又はシリコーンから形成されることを特徴とする請求項５記載のフィルムカッター装置。
【請求項７】
前記刃ハウジングは、左部分と右部分とから形成されており、前記刃は、この刃の孔を貫通して延びたリベットによって前記左部分と前記右部分とに取り付けられていることを特徴とする請求項１記載のフィルムカッター装置。
【請求項８】
前記刃は、前記上方部分の前記底縁部から角度を成していることを特徴とする請求項１記載のフィルムカッター装置。
【請求項９】
前記刃は、前記上方部分の前記底縁部から３０度の角度を成していることを特徴とする請求項８記載のフィルムカッター装置。
【請求項１０】
前記装置は、更に、細長いレール基礎部のバンパーを提供すると共に、過度の力が加わると離脱するように前記細長いレール基礎部のいずれの端部にも離脱可能に取り付けられるようになっている一対の端部キャップからなることを特徴とする請求項１記載のフィルムカッター装置。
【請求項１１】
前記端部キャップは、前記細長いレール基礎部の側面上の一対の雌受け部に係合する一対の雄突出部を有していることを特徴とする請求項１０記載のフィルムカッター装置。
【請求項１２】
前記細長いレール基礎部の後縁部は、凹みを有しており、この凹みが前記フィルムの箱のカバーを受け入れることを特徴とする請求項１記載のフィルムカッター装置。
【発明の詳細な説明】
【技術分野】
【０００１】
本発明は、改良されたプラスチックラップ用のフィルムカッターに関し、特に橇（そり）形状のランナーと調節可能な隙間とを有するハウジングの内部からこのハウジングが摺動移動されるレールの上面までカッター刃が延びており、それによって、たとえフィルムが束になったり、又は折り重なっていても、本フィルムカッター装置の使用者を負傷させることなく食品用包装材（ラップ）等のフィルムを，効果的に手早くカッティングするようにしたフィルムのカッティング方法とフィルムカッター装置に関する。
【背景技術】
【０００２】
従来のプラスチックラップには、食物を冷蔵庫や電子レンジやその他の貯蔵庫内に収納する前に食物を包むなどの多くの用途がある。一般的には、従来の薄いプラスチックラップはロッドの上に巻かれていて、使用の際にその一部分を外側に引き出すことで所定分用意されるが、その引き出されたプラスチックラップは、ラップのロールが収納されている箱の縁に沿って取り付けられた刃やジグザグフィルムカッティング装置によって切り離される。これらの装置の問題点は、薄いプラスチックラップが、静電気によって、それ自体に付着してゆがんで駄目になることである。更に、使用者が、露出した刃で手などを傷つけてしまうことである。
【０００３】
米国特許第４，９５７，０２３号は、自動カット装置を備えたラップディスペンサーを記載している。カッティング装置は、搭載部上に設けられており、数個のバッテリによって駆動されるモータによって駆動される伝達機構によって一定軌道に沿って摺動移動される。この特許には、製造に手間がかかり、高価であるという欠点がある。
【０００４】
他の従来の試みには、カッティング面の下方の通路を移動する複数のガイドホイールを有するカッティング装置が含まれている。米国特許第５，４４０，９６１号は、複数のガイドホイールが、移動中にカッテイング装置をガイドするために、通路内に支持されている、フィルムカッター装置について記載している。回転可能なカッティングホイールが、フィルムをカットする際に、その表面に付着させるべく半円形のハウジング内に配置されている。カッティング面の頂部表面は、フィルムをカットする間にこの表面に付着させるべく、ウレタンテープで形成されている。上述のフィルムカッターには、ガイドホイールと回転可能なカッティングホイールとが複雑な機械的相互作用を利用しているために、結果的に高い製造コストを招くという限界がある。このカッターには、また、このウレタンテープが、このテープの接着性を喪失することで、フィルムを固定するという能力を失うという欠点がある。
【０００５】
米国特許第４，１９７，７７４号は、移動式カッター装置について記載しており、ここでは細長い移動溝が、カッター摺動部（スライド）をその内部で摺動可能に受け入れ、折り返すためのスロットを有している。上記移動溝は、粗い上面構成要素（エレメント）を有している。カッティングエレメントは、シートを粗い移動溝表面に対して押圧することでこのシートを局部的に動かなくするために、横に延びた滑らかな下面を備えたハウジングを有している。物を動かないようにするために粗面を使用することは、フィルムカッター装置とその面との間に圧力を加えることで、フィルムをその面に対してだけ動かなくするに過ぎないという短所を有している。
【０００６】
米国特許第５，３９８，５７６号は、２つの垂直側壁間と水平な頂面壁の下方との間に摺動空間を画定すべく、水平な頂面壁に互いに接続され２つの細長い垂直側壁から形成された位置決めユニットを有するカッティング装置を記載している。カッターは、この水平な頂面壁の下に、前記２つの垂直板とこの垂直板から延びた２つの水平板とを有した摺動体を備えている。刃は、このカッターの切欠き部に搭載されている。この刃は、前端面から背後かつ下方へと延びている。この特許には、刃が使用者側に露出しており、またフィルムが束になったり、不整合な状態になっているためにカッティングが困難であるという不都合がある。
【発明の開示】
【発明が解決しようとする課題】
【０００７】
そこで、本発明においては、上述の欠点を克服するように改良されたフィルムカッター装置であって、使用者に対する安全を確保しつつ、たとえフィルムが束になったり、又は折り重なっていても、フィルムを簡単且つ効果的にカットできるフィルムカッター装置を提供することを目的とする。
【課題を解決するための手段】
【０００８】
本発明は、刃ハウジングが一対のレールに沿って摺動するフィルムカッター装置において、この刃ハウジングが、刃を収納するための上方部分から形成されている。この上方部分のいずれの端部も、そり形状ランナーを形成すべく、底縁部からの丸められた傾斜形状を有している。このそり形状ランナーは、使用者が刃に触るのを防ぐように、刃を越えて延びている。前記刃ハウジングの下方部分は、レールの下方に形成された空所内において両方向に摺動する。たとえフィルムが束になったり、又は折り重なっていても、刃ハウジングがカッティングされるフィルムを越えて容易に摺動できるようにするため、刃とレールとの間に隙間が形成されている。
【０００９】
刃ハウジングの上方部分は、使用者の指がこの刃ハウジングを容易に掴むことができるように、凹んだ形状を有している。好ましくは、レールは、フィルムを引き付けてカッティングの前後にフィルムを平坦に維持するのを助ける引付け電荷をレールに与える素材から形成されている。例えば、レールは可撓性のビニル樹脂又はアセタールから形成される。
【００１０】
前記レールは、細長いレール基礎部に取り付けられるか、又はそれと一体にされる。端部キャップが、バンパーを提供するとともに過度の力が刃ハウジングに掛かると離脱するように、細長いレール基礎部のいずれの端部にも解放可能に取り付けられる。細長いレール基礎部に形成されたｕ字形状ガイド部は、本フィルムカッター装置を箱にクランプするためにこの箱の縁を受け入れることができる。細長いレール基礎部の後面の凹みは、前記箱のカバーを受け入れるようになっている。
【発明の効果】
【００１１】
以上説明したように、本発明に係るフィルムカッター装置では、そり形状のランナーと調節可能な隙間とを有するハウジングの内部からこのハウジングが摺動移動されるレールの上面までカッター刃が延びているので、たとえフィルムが束になったり、又は折り重なっていても、本フィルムカッター装置の使用者を負傷させることなく食品用包装材（ラップ）等のフィルムを，効果的に手早くカッティングすることができるという効果を奏する。
【発明を実施するための最良の形態】
【００１２】
以下、添付図面に示されている本発明の好適な実施例を参照して、本発明を詳細に説明する。可能な場合はいつでも、図面並びに明細書を通じて、同一又は同様な部品に言及する場合には、同じ参照番号が用いられる。
【００１３】
図１と図２は、本発明に従ったフィルムカッター装置１０を図示している。細長いレール基礎部１２が、頂面１６に沿った一対のレール１４に結合されている。そうでない場合には、レール１４は細長いレール基礎部１２と一体にされる。空所１５が、レール１４の下に形成されており、これらレール１４の間に延びている。プラスチックフィルム１７は、ロール（図示せず）から引き出され、レール１４を横切って引っ張られる。細長いレール基礎部１２は、いずれのサイズのフィルム幅にも対応する長さを有することができる。例えば、１２インチ、１８インチ、又は２４インチの幅のフィルムに対して、細長いレール基礎部１２は、各々約１３．２インチや、約１９．２インチや、又は約２５．２インチの長さを有する。
【００１４】
好ましくは、細長いレール基礎部１２は、耐久性を有した第一の素材から形成される。例えば、細長いレール基礎部１２は、ジェオン(Geon)によって製造されている８７５４９等の硬質ビニル樹脂、又は塩化ビニル樹脂（ＰＶＣ）から形成される。好ましくは、レール１４は、フィルム１７を引き付けてカッティングの前後にフィルム１７を平坦に維持するのを助けるべく引付け電荷をレール１４に与える、第二の素材から形成されている。静電荷等の引付け力を与えるのに使用される適当な素材には、ショアＡデュロメータ７５の硬さを持った素材、Ａｐｅｘ３３００−７５ＮＴとしてテクノール(Teknor)によって製造されているビニル樹脂、アクリル樹脂又はＰＶＣ等の他の可撓性のビニル材が含まれる。細長いレール基礎部１２とレール１４とを２つの異なった素材から成形するために、共押出法が使用される。
【００１５】
刃ハウジング１８は、上方部分１９と下方部分２０とから形成されている。中間部２１が上方部分１９を下方部分２０に結合している。刃ハウジング１８の上方部分１９は、刃２２を収納している。刃ハウジング１８の下方部分２０は、細長いレール基礎部１２の移動溝１５内に受け入れられている。
【００１６】
上方部分１９の底面２３は、刃２２から外側に突き出ており、使用者が刃２２に触るのを防ぐ底縁部２４を有している。刃２２は、図３に示されるように、端面２５の背後で距離ｄ１だけ底面２３から突き出ている。端面２５は、上方に傾斜していて、底縁部２４から丸められている。端面２５と底縁部２４とは、そり形状を成しており、刃ハウジング１８の上方部分が位置ｐ１と位置ｐ２との間においてレール１４に沿って前後に摺動できるようにすると共に、レール１４と協働してフィルム１７が「束になる」のを抑制し、レール１４に沿った刃ハウジング１８の摺動中にフィルム１７を平坦に維持できるようにしている。
【００１７】
好ましくは、刃ハウジング１８は、レール１４の頂面１６に沿って且つ空所１５の内部において摺動するために良好な潤滑性を有した可撓性の素材から形成されている。刃ハウジング１８に適した素材としては、ディーイーエル（ＤＥＬ）によって製造されているＲＴＰ８０１等のアセタール、又はシリコーンである。
【００１８】
刃ハウジング１８の上方部分１９は、グリップ面２６を有している。好ましくは、グリップ面２６は、刃ハウジング１８を移動させるために、使用者の指によって触れられる。グリップ面２６は、使用者の指が刃ハウジング１８を容易に掴めるように、凹んだ形状を成しており、また使用者が触れるポイントを刃ハウジング１８の頂部上の中央に維持し、それによって刃ハウジング１８が揺動したり、ぐらつくのを防ぐ。
【００１９】
刃ハウジング１８の下方部分２０は、図３に示されるように、トラッキング装置２９を形成している。トラッキング装置２９は、空所１５に沿って両方向に摺動するように、空所１５の内部に収納されている。図５に示されるように、好ましくは、トラッキング装置２９はチューブ形状を有しており、対応するチューブ形状を成す空所１５の内部で摺動する。中間部２１は、トラッキング装置２９と刃２２との間の距離ｄ２を所定距離とするように選択されている。距離ｄ２は、刃２２とレール１４との間に所定の隙間を与えると共に、刃ハウジング１８が束になったり又は折り重なったフィルムにも使用できるように選択される。
【００２０】
刃ハウジング１８は、図５に示されるように、左部分３１と右部分３２とを有した２片構造から成っている。刃２２は、左部分３１と右部分３２との間に位置決めされている。刃２２は、刃２２の孔３４を貫通して延びたリベット３３によって、左部分３１と右部分３２とに取り付けられている。リベット３３は、安全を確保するために、刃２２を刃ハウジング１８のコア部に確実に取り付けている。
【００２１】
刃２２は、角度を成した側部エッジ３６、３７を有している。例えば、側部エッジ３６、３７は、刃２２の底面３８から３０度の角度をなしている。刃ハウジング１８から延びているカッティング部３９は、プラスチックフィルム１７をカットするのに使用される。刃角度は、最適なカッティング性能を与えるものであり、また刃２２がプラスチックフィルム１７をカッティングでき、また使用者の指を切らないようにするために、使用者に対する刃２２の露出を少なくしている。例えば、好適な刃角度とは、ＰＶＣとポリエチレンのフィルムのカッティングを最適にするものである。そうする代わりに、刃２２は丸い形状を有することができ、その丸い形状の一部分がカッティング部を形成している。刃２２に適した素材はステンレススチールである。
【００２２】
端部キャップ５０は、図１並びに図５に示されるように、エッジ５５と一体に成っている一対の雄突出部５２から形成されている。雄突出部５２は、細長いレール基礎部１２の両端に位置決めされた雌受入れ部５５に嵌合する。端部キャップ５０は、バンパーとしての働き、もし過度に大きな圧力が細長いレール基礎部１２のいずれの端部においても刃ハウジング１８に加えられた場合には、細長いレール基礎部１２から離脱する。従って、刃ハウジング１８は、損なわれることが無く、もし過度の力が刃ハウジング１８に加えられれば細長いレール基礎部１２から外れることになる。端部キャップ５０に適した素材は、マクラボン(Makrabon)によって製造されている２５５８−１１２等のアセタール、又はポリカーボネートである。刃ハウジング１８が細長いレール基礎部１２から脱落するのを防ぐために、当業において公知のリベット、プラグ、接着材、締めつけ、穿孔や他の適用手段を含んだ代替方法を使用することができる。
【００２３】
細長いレール基礎部１２の後縁６０は、図５並びに図６に示されるように、「ｕ」字形状を成した延長部６２を有している。箱６３の側縁は、その「ｕ」字形状内に受け入れられる。凹み６４が、延長部６２と移動溝１５の外面６５との間で後縁６０に形成されている。凹み６４は、箱の蓋（図示せず）を受け入れて、その動きを防ぐものである。
【００２４】
なお、上述した実施例は、本発明の原理の適用を示し得る多くの可能な具体的実施例のうちの数例を示しているに過ぎない。多数の変更された他の構成も、本発明の精神と技術的範囲から逸脱しない限りで、当業者によってこれら原理に従って容易に案出されるものである。
【図面の簡単な説明】
【００２５】
【図１】本発明の教示に係るフィルムカッター装置の斜視図である。
【図２】本発明の教示に係るフィルムカッター装置の側部断面図である。
【図３】細長いレール基礎部の端部間における刃ハウジングの移動を示す刃ハウジングの側部断面図である。
【図４】図１に示されているフィルムカッター装置の頂部平面図である。
【図５】端部キャップを外した端部から見たフィルムカッター装置の端面図である。
【図６】フィルムの箱に取り付けられた刃ハウジングの側部断面図である。
【図１】
2006326836.tif 000003
【図２】
2006326836.tif 000004
【図３】
2006326836.tif 000005
【図４】
2006326836.tif 000006
【図５】
2006326836.tif 000007
【図６】
2006326836.tif 000008